Podtech/llm-jp-corpus-v4-ja_patent huggingface dataset:
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
複数のオリゴヌクレオチドを含むオリゴヌクレオチド組成物であって、前記複数のオリゴヌクレオチドが以下の特徴を共有する：
（ａ）共通の塩基配列を有する；
（ｂ）骨格結合の共通パターンを有する；
（ｃ）１つ以上のキラルヌクレオチド間結合（キラル制御されたヌクレオチド間結合）において、独立した共通する立体化学を有する、
ことを特徴とし、
前記オリゴヌクレオチド組成物中の第１の複数のオリゴヌクレオチドのレベルが所定である場合に、前記オリゴヌクレオチド組成物がキラル制御され、
前記複数のオリゴヌクレオチドは、各々独立して、５’末端基のＲＥを備え、前記ＲＥは、−Ｌ−Ｐ（Ｏ）（ＸＲ）２またはその塩形態であり、各Ｘは独立して、−Ｏ−、−Ｓ−、または共有結合であり、前記−Ｌ−Ｐ（Ｏ）（ＸＲ）２中、Ｌは：
（ｉ）直鎖状または分岐状のＣ３−１０脂肪族基で任意に置換され；
（ｉｉ）直鎖状または分岐状のＣ１−１０脂肪族基で任意に置換され、Ｌのうち１つ以上のメチレン単位は、−Ｃｙ−で独立して置換され、前記−Ｃｙ−は、それぞれ独立して、Ｃ３−２０脂環式環、Ｃ６−２０アリール環、１〜１０個のヘテロ原子を有する５〜２０員のヘテロアリール環、および１〜１０個のヘテロ原子を有する３〜２０員のヘテロシクリル環、から選択される任意で置換される二価の基であり；
（ｉｉｉ）−ＣＨ（Ｒ）−Ｏ−であり、前記−ＣＨ（Ｒ）−Ｏ−中、Ｒ基は、水素または任意で置換されるＣ１−４脂肪族であり、Ｏは、Ｐと結合する；または
（ｉｖ）（Ｅ）−ＣＨ＝ＣＨ−であり、
各Ｒ基は、独立して、水素、またはＣ１−３０脂肪族基、１〜１０個のヘテロ原子を有するＣ１〜３０ヘテロ脂肪族基、Ｃ６〜３０アリール、Ｃ６〜３０アリール脂肪族、１〜１０個のヘテロ原子を有するＣ６〜３０アリールヘテロ脂肪族基、１〜１０個のヘテロ原子を有する５〜３０員ヘテロアリール、および１〜１０個のヘテロ原子を有する３〜３０員ヘテロシクリルから成る群から選択される任意の置換基であり、または
２つのＲ基は、任意でかつ独立して一緒になって共有結合を形成し、または
同じ原子上の２つ以上のＲ基は、前記原子と任意でかつ独立して一緒になることで、前記原子に加えて、０〜１０個のヘテロ原子を有する、任意で置換される３〜３０員単環式環、二環式環、もしくは多環式環を形成し、または
２つ以上の原子上の２つ以上のＲ基がそれらの間の介在原子と任意でかつ独立して一緒になることで、前記介在原子に加えて０〜１０個のヘテロ原子を有する、任意で置換される３〜３０員単環式環、二環式環、もしくは多環式環を形成する、
オリゴヌクレオチド組成物。
【請求項２】
前記５’末端基のヌクレオチドが、
【化１】
2020522510.tif 000001
またはその塩の形態である、請求項１に記載の組成物。
【請求項３】
前記複数のオリゴヌクレオチドの各々の前記５’末端基の糖が、
【化２】
2020522510.tif 000002
またはその塩である、請求項１に記載の組成物。
【請求項４】
前記５’末端基のヌクレオチドが、
【化３】
2020522510.tif 000003
もしくはその塩であるか、または
前記複数のオリゴヌクレオチドの各々の前記５’末端基の糖が、
【化４】
2020522510.tif 000004
もしくはその塩である、請求項１に記載の組成物。
【請求項５】
前記−Ｌ−Ｐ（Ｏ）（ＸＲ）２中のＬが、直鎖状または分岐状のＣ３−１０脂肪族基で任意に置換される、請求項１に記載の組成物。
【請求項６】
前記ＲＥは、−Ｌ−Ｐ（Ｏ）（ＯＲ）２またはその塩形態である、請求項１〜５のいずれか一項に記載の組成物。
【請求項７】
前記ＲＥは、−Ｌ−Ｐ（Ｏ）（ＯＲ）（ＳＲ）またはその塩形態である、請求項１〜５のいずれか一項に記載の組成物。
【請求項８】
前記ＲＥは、−Ｌ−Ｐ（Ｏ）（ＯＲ）（Ｒ）またはその塩形態である、請求項１〜５のいずれか一項に記載の組成物。
【請求項９】
前記オリゴヌクレオチドのヌクレオチド間結合のうち、少なくとも２０％、２５％、３０％、３５％、４０％、４５％、５０％、５５％、６０％、６５％、７０％、７５％、８０％、８５％、９０％、９５％が、独立したキラルのヌクレオチド間結合である、請求項１〜８のいずれか一項に記載の組成物。
【請求項１０】
前記オリゴヌクレオチドのヌクレオチド単位のうち少なくとも３％、５％、１０％、１５％、２０％、２５％、３０％、３５％、４０％、４５％、５０％、５５％、６０％、６５％、７０％、７５％、８０％、８５％、９０％、９５％、または９７％が、独立して２’−置換を含む、請求項１〜９のいずれか一項に記載の組成物。
【請求項１１】
前記オリゴヌクレオチドの２’−置換は、２’−Ｆ、２’−ＯＲ１、または−Ｌ−であり、前記−Ｌ−は、糖単位のＣ２とＣ４とがＬによって連結される、請求項１〜１０のいずれか一項に記載の組成物。
【請求項１２】
前記オリゴヌクレオチドが、標的配列に完全に相補的な標的結合配列を含み、前記標的結合配列が、少なくとも１０個、１１個、１２個、１３個、１４個、１５個、１６個、１７個、１８個、１９個または２０個の塩基の長さを有し、塩基がそれぞれ、任意で置換されるアデニン、シトシン、グアノシン、チミン、またはウラシルであり、前記標的配列が１つ以上のアレル部位を含み、アレル部位がＳＮＰまたは変異である、請求項１〜１１のいずれか一項に記載の組成物。
【請求項１３】
所定のレベルが、前記組成物中の全てのオリゴヌクレオチドのうち（９０％）ｎ〜１００％であり、式中、ｎが、キラル制御されたヌクレオチド間結合の数であり、ｎが５〜２５である、請求項１〜１２のいずれか一項に記載の組成物。
【請求項１４】
転写産物またはそれによってコードされるタンパク質のレベルまたは活性を低下させるためのｉｎ  ｖｉｔｒｏにおける方法であって、前記転写産物を発現する系に、請求項１〜１３のいずれか一項に記載の組成物を投与する工程を含み、前記組成物のオリゴヌクレオチドは、前記転写産物中の標的配列に完全に相補的な標的結合配列を包含する、方法。
【請求項１５】
複数のアレルが集団内に存在する核酸配列に由来する転写産物をアレル特異的に抑制するための方法であって、前記複数のアレルのそれぞれが、同じ標的核酸配列の他のアレルに対して前記アレルを規定する特定の特徴的なヌクレオチド配列要素を含み、
前記方法が、請求項１〜１３のいずれか一項に記載の組成物を、前記標的核酸配列の転写産物に提供するステップを含み、前記組成物のオリゴヌクレオチドは、前記核酸配列中の標的配列と完全に相補的であるか、または同一の標的結合配列を包含し、前記標的配列は、特定のアレルを規定する特徴的な配列要素を包含し、前記組成物のオリゴヌクレオチドが標的アレルと、同一の核酸配列の他のアレルの両方の転写産物を含むシステムに接触した場合に、前記特定のアレルの転写産物は、同一の核酸配列の他のアレルに関し観察される抑制レベルよりも高いレベルで抑制されることを特徴とする、方法。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
エアロゾル発生システムで使用するためのエアロゾル発生装置であって、
エアロゾル発生物品の少なくとも一部分を受け入れる装置くぼみを画定するハウジングと、
前記装置くぼみ内に位置する細長い電気ヒーターと、
前記細長い電気ヒーターが前記細長い電気ヒーターの長さの少なくとも一部に沿って熱伝導性のあるシース内に実質的に封入されるように、前記細長い電気ヒーター上に固定された熱伝導性のあるシースであって、ＡＳＴＭ  Ｃ１１１４−００に従って測定される少なくとも４０Ｗ／ｍ．Ｋの熱伝導率を有する、熱伝導性のあるシース、を備え、
前記熱伝導性のあるシースおよび前記細長い電気ヒーターが、前記エアロゾル発生物品が前記装置くぼみに受けられたときに前記エアロゾル発生物品内に延びように構成されており、その結果、使用時に、前記エアロゾル発生物品が前記熱伝導性のあるシースを介して前記細長い電気ヒーターによって加熱される、
エアロゾル発生装置。
【請求項２】
前記熱伝導性のあるシースが、前記細長い電気ヒーター上に永久的に固定される、請求項１に記載のエアロゾル発生装置。
【請求項３】
前記熱伝導性のあるシースが、前記細長い電気ヒーター上に取外し可能に固定される、請求項１に記載のエアロゾル発生装置。
【請求項４】
前記細長い電気ヒーターが、前記細長い電気ヒーターの実質的に全長に沿って前記熱伝導性のあるシース内に実質的に封入される、請求項１〜３のいずれか一項に記載のエアロゾル発生装置。
【請求項５】
前記熱伝導性材料のあるシースが、一つ以上の中間構成要素を介して前記細長い電気ヒーターに熱結合される、請求項１〜４のいずれか一項に記載のエアロゾル発生装置。
【請求項６】
前記熱伝導性のあるシースが、金属又は合金から形成される、請求項１〜５のいずれか一項に記載のエアロゾル発生装置。
【請求項７】
前記熱伝導性のあるシースには、シースマウントが提供され、前記シースマウントによって前記熱伝導性のあるシースが前記長細い電気ヒーター上に固定される、請求項１〜６のいずれか一項に記載のエアロゾル発生装置。
【請求項８】
前記シースマウントが、低い熱伝導率を有する高温耐性材料から作られる、請求項７に記載のエアロゾル発生装置。
【請求項９】
前記熱伝導性のあるシースが、曲げられ、または折り畳まれた形状の熱伝導性材料の単一のシートを含む、請求項１〜８のいずれか一項に記載のエアロゾル発生装置。
【請求項１０】
前記熱伝導性のあるシースが、前記シースが二つの向かい合ったシース壁を含み、それらの間に前記細長い電気ヒーターがその長さの少なくとも一部に沿って実質的に封入されるように、折り曲げ線に沿って曲げられ、または折り畳まれた熱伝導性材料のシートと、前記折り曲げ線の反対側にある開口部と、を含む、請求項９に記載のエアロゾル発生装置。
【請求項１１】
前記熱伝導性材料のシートが、弾性であり、前記折り曲げ線がばね力を提供して前記シース壁が前記開口部において離れるように付勢するように、曲げられるか、または折り畳まれる、請求項１０に記載のエアロゾル発生装置。
【請求項１２】
前記折り曲げ線が、前記熱伝導性のあるシースの長軸方向軸に平行であり、前記熱伝導性のあるシースの側端に沿って延びる、請求項１０に記載のエアロゾル発生装置。
【請求項１３】
前記熱伝導性のあるシースが、熱伝導性材料の波型形状のシートを含む、請求項１〜１２のいずれか一項に記載のエアロゾル発生装置。
【請求項１４】
前記熱伝導性材料の波型形状のシートが、第一の方向に沿って延びる第一の組の波型形状および前記第一の方向に対してある角度を有する第二の方向に沿って延びる第二の組の波型形状を含む、請求項１３に記載のエアロゾル発生装置。
【請求項１５】
前記熱伝導性のあるシースが、０．２０ｍｍ〜０．３５ｍｍの厚さを有している、請求項１〜１４のいずれか一項に記載のエアロゾル発生装置。
【請求項１６】
前記熱伝導性のあるシースが、０．２２ｍｍ〜０．３０ｍｍの厚さを有している、請求項１〜１４のいずれか一項に記載のエアロゾル発生装置。
【請求項１７】
前記熱伝導性のあるシースが、０．２５ｍｍ〜０．２９ｍｍの厚さを有している、請求項１〜１４のいずれか一項に記載のエアロゾル発生装置。
【請求項１８】
前記熱伝導性のあるシースが、０．２７ｍｍの厚さを有している、請求項１〜１４のいずれか一項に記載のエアロゾル発生装置。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
周縁部によって囲まれた開口上部を有する容器と、
該周縁部の上に配置されるように構成された気密蓋システムであって、該気密蓋システムと前記容器との間に気密封止を形成するように構成された気密蓋システムと、
を有する、消化管シミュレーションシステムの区画であって、
前記蓋システムが本体を含み、
該本体が、該本体を通って延出しかつ前記容器の内部へのアクセスを提供する、複数の通路を有し、
該複数の通路が、流体移送管を受け入れるように構成された第１の通路と、少なくとも１つのセンサ構成要素を取り付けるように構成された第２の通路と、を含み、
前記蓋システムには、
前記複数の通路を封止するための解除可能な複数の封止要素と、
該複数の封止要素のうちの少なくとも幾つかの封止要素に共通であって、対応する前記幾つかの封止要素の各々に圧力を加えて、対応する複数の通路の封止を達成するように構成された少なくとも１つの押圧要素と、が設けられており、
前記押圧要素が板状部材を含み、
該板状部材が、前記複数の通路の封止を達成するために該板状部材が前記封止要素に圧力を加える押圧位置と、該封止要素が解除状態にある解除位置と、の間において、前記蓋システムの前記本体に移動可能に固定されている、ことを特徴とする区画。
【請求項２】
前記解除可能な複数の封止要素の各々が、それぞれの通路に挿入されるそれぞれの管又はセンサ構成要素の上又は周囲に圧縮されるように設けられた封止材料の封止部材と、前記圧縮のために前記封止部材に作用するばね部材と、を含む、請求項１に記載の区画。
【請求項３】
前記板状部材は、１つ以上のねじをねじ込むことにより、前記解除位置から前記押圧位置に移動可能である、請求項１に記載の区画。
【請求項４】
前記板状部材が、ねじを固定するための空間を残す切り欠きを含み、これによって、前記蓋システムの前記本体と前記容器とが相互に封止される、請求項１に記載の区画。
【請求項５】
前記気密蓋システムの前記本体は内部空洞を有する中空であり、
前記解除可能な複数の封止要素が前記空洞を囲む中空の前記本体に配置され、
前記空洞には保持要素が設けられ、
該保持要素は前記管及び前記センサ構成要素のための前記第１の通路及び前記第２の通路を含有する、請求項１から請求項４のいずれかに記載の区画。
【請求項６】
前記保持要素が３Ｄ印刷部品である、請求項５に記載の区画。
【請求項７】
前記蓋システムを通って前記容器の内部に垂直に延出するセンサプローブを具備する、請求項１から請求項６のいずれかに記載の区画。
【請求項８】
前記複数の通路が前記蓋システムを通って垂直に延出する、請求項１から請求項７のいずれかに記載の区画。
【請求項９】
前記複数の通路が前記センサプローブの周りで半径方向に離間している、請求項６又は７に記載の区画。
【請求項１０】
前記本体及び前記押圧要素が回転対称部品である、請求項１から請求項９のいずれかに記載の区画。
【請求項１１】
請求項１から請求項１０のいずれかに記載の少なくとも１つの区画と、対応する前記第１の通路を通って延びる流体移送管と、前記第２の通路の中に又は上に取り付けられたセンサ構成要素と、を具備する、消化管シミュレーションシステム。
【請求項１２】
少なくとも１つの区画が、外側容器と、該外側容器の内側に取り付けられた内側容器とを有し、該内側容器は、少なくとも一部が透析膜によって形成された壁を有する、請求項１１に記載の消化管シミュレーションシステム。
【請求項１３】
前記内側容器の壁が円筒形のグリッド構造を含み、前記透析膜が前記円筒形のグリッド構造の周囲に取り付けられている、請求項１２に記載の消化管シミュレーションシステム。
【請求項１４】
ヒト及び動物の腸壁に付着して成長する可能性のある微生物種の定着を支持することができる粘膜区画をシミュレートするために、少なくとも１つの区画は、前記腸壁の内側を覆う粘液層を代表するムチンで覆われた担体を含有する、請求項１１から請求項１３のいずれかに記載の消化管シミュレーションシステム。
【請求項１５】
少なくとも１つの区画の蓋システムには、前記容器における高すぎる液位を検出するための高液位検出手段が設けられており、
該高液位検出手段は、前記蓋システムを通るガス入口管及びガス出口管と、前記ガス入口管及び前記ガス出口管を通り、前記容器のヘッドスペースを経由するガス流を確立する手段と、を具備し、
前記ガス入口管及び前記ガス出口管のうちの少なくとも一方の口部にはフロータが取り付けられており、
前記フロータは、液体の液位が高くなりすぎると、前記フロータが前記ガス流の障害物を形成しない自由な流れ位置から、前記フロータがガス流の障害物を形成する妨害位置まで、前記容器内の前記液体に浮かぶことによって上昇するように適合されている、請求項１１から請求項１４のいずれかに記載の消化管シミュレーションシステム。
【請求項１６】
請求項１１から請求項１５のいずれかで定義された消化管シミュレーションシステムの空の区画を消化管の生理学的流体をシミュレートする流体で満たすステップと、
事前に決定された値、範囲又は軌道に各々応じて、液体流、温度、ｐＨ、イオン強度、ヘッドスペース、撹拌、圧力、液体量、のパラメータの１つ以上又はすべてを各区画で制御するように前記消化管シミュレーションシステムを動作させるステップと、
を含む、ヒト又は動物の消化管の機能をシミュレートする方法。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
コーヒー豆からの固形分の抽出性を高める方法であって、
（ａ）コーヒー植物細胞を、α−Ｄ−ガラクトシダーゼをコードする核酸配列に向けられたＤＮＡ編集剤に供し、前記α−Ｄ−ガラクトシダーゼをコードする前記核酸配列の中に機能喪失型変異を生じる工程と、
（ｂ）前記植物細胞から植物を再生する工程と
を備え、前記コーヒー植物はロブスタコーヒーノキに由来し、
α−Ｄ−ガラクトシダーゼをコードする前記核酸配列は配列番号２〜配列番号４からなる群から選択される方法。
【請求項２】
前記植物から豆を収穫する工程をさらに備える請求項１に記載の方法。
【請求項３】
α−Ｄ−ガラクトシダーゼをコードする核酸配列の中に機能喪失型変異を含むゲノムを含むコーヒー植物又はその植物部分であって、
前記コーヒー植物は非遺伝子組換えのものであり、
前記コーヒー植物はロブスタコーヒーノキに由来し、
α−Ｄ−ガラクトシダーゼをコードする前記核酸配列は配列番号２〜配列番号４からなる群から選択されるコーヒー植物又はその部分。
【請求項４】
前記植物部分が豆である請求項３に記載の植物部分。
【請求項５】
乾燥している請求項４に記載の豆。
【請求項６】
前記変異が、欠失、挿入、挿入／欠失（インデル）及び置換からなる群から選択される請求項１から請求項５のいずれか一項に記載の方法又はコーヒー植物若しくはその植物部分。
【請求項７】
前記供することが、前記ＤＮＡ編集剤をコードする核酸構築物に対して行われる請求項１に記載の方法。
【請求項８】
植物プロモーターに動作可能に連結されたコーヒーα−Ｄ−ガラクトシダーゼに向けられたＤＮＡ編集剤をコードする核酸配列を含む核酸構築物であって、前記コーヒーα−Ｄ−ガラクトシダーゼは、配列番号２〜配列番号４からなる群から選択される核酸配列によってコードされる核酸構築物。
【請求項９】
前記ＤＮＡ編集剤が、メガヌクレアーゼ、ジンクフィンガーヌクレアーゼ（ＺＦＮ）、転写活性化因子様エフェクターヌクレアーゼ（ＴＡＬＥＮ）及びＣＲＩＳＰＲ−Ｃａｓからなる群から選択されるＤＮＡ編集システムのものである請求項１、請求項２及び請求項６から請求項８のいずれか一項に記載の方法又は核酸構築物。
【請求項１０】
前記ＤＮＡ編集剤がＣＲＩＳＰＲ−Ｃａｓを含むＤＮＡ編集システムのものである請求項１、請求項２及び請求項６から請求項９のいずれか一項に記載の方法又は核酸構築物。
【請求項１１】
α−Ｄ−ガラクトシダーゼをコードする前記核酸配列が配列番号４に示されるものである請求項１から請求項１０のいずれか一項に記載のコーヒー植物若しくはその植物部分、方法又は核酸構築物。
【請求項１２】
前記ＤＮＡ編集剤が、前記α−Ｄ−ガラクトシダーゼをコードする核酸配列のエクソン１、２、３、４及び／又は５内の核酸座標に向けられている請求項１、請求項２、及び請求項６から請求項１１のいずれか一項に記載の方法又は核酸構築物。
【請求項１３】
前記ＤＮＡ編集剤が、配列番号３８〜配列番号４１からなる群から選択される核酸配列に少なくとも９９％同一である核酸配列を含む請求項１、請求項２、及び請求項６から請求項１２のいずれか一項に記載の方法又は核酸構築物。
【請求項１４】
前記ＤＮＡ編集剤が、配列番号９〜配列番号１１及び配列番号３７からなる群から選択される核酸配列に少なくとも９９％同一である核酸配列を含む請求項１、請求項２、及び請求項６から請求項１２のいずれか一項に記載の方法又は核酸構築物。
【請求項１５】
前記ＤＮＡ編集剤が、配列番号３８〜配列番号４１からなる群から選択される核酸配列を含む請求項１、請求項２、及び請求項６から請求項１２のいずれか一項に記載の方法又は核酸構築物。
【請求項１６】
前記ＤＮＡ編集剤が、配列番号９〜配列番号１１及び配列番号３７からなる群から選択される複数の核酸配列を含む請求項１、請求項２、及び請求項６から請求項１２のいずれか一項に記載の方法又は核酸構築物。
【請求項１７】
前記ＤＮＡ編集剤が、複数の、前記α−Ｄ−ガラクトシダーゼ遺伝子をコードする前記核酸配列に向けられている請求項１、請求項２、及び請求項６から請求項１３のいずれか一項に記載の方法又は核酸構築物。
【請求項１８】
コーヒー豆の製造方法であって、
（ａ）請求項３、請求項６及び請求項１１のいずれか一項に記載の植物を成長させる工程と、
（ｂ）前記植物から豆を収穫する工程と
を備える方法。
【請求項１９】
前記豆を抽出、脱水及び任意に焙煎に供する工程をさらに備える請求項１８に記載の方法。
【請求項２０】
請求項４から請求項６、及び請求項１１のいずれか一項に記載の豆のコーヒー。
【請求項２１】
粉末形態にある請求項２０に記載のコーヒー。
【請求項２２】
粒状形態にある請求項２０に記載のコーヒー。
【請求項２３】
カフェインが取り除かれている請求項２０から請求項２２のいずれか一項に記載のコーヒー。
【請求項２４】
請求項４から請求項６、及び請求項１１のいずれか一項に記載の豆の加工コーヒー組成物。
【請求項２５】
前記加工コーヒー組成物が、粗挽きコーヒー、フィルターコーヒー又はインスタントコーヒーの形態であってもよい焙煎したコーヒー豆を含む請求項２４に記載の加工コーヒー組成物。
【請求項２６】
前記加工コーヒー組成物が、コーヒー飲料を含み、さらに天然若しくは人工の香味料、乳製品、アルコール、発泡剤、及び／又は天然若しくは人工の甘味剤を含んでもよい請求項２４に記載の加工コーヒー組成物。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
硫酸塩還元菌（ＳＲＢ）の濃度を決定する方法であって、
試験バイアルの群でＳＲＢを増殖させるための培地を調製することと、
前記試験バイアルのそれぞれに塩化第一鉄四水和物（ＦＣＴＨ）を添加することと、
試験された試料を前記試験バイアルの群の第１の試験バイアルに添加することと、
前記群内の後続のバイアルに以前のバイアルからの流体を順次注入することにより、前記試験された試料を順次に希釈することと、
前記試験バイアルの群をインキュベートすることと、を含み、
１つのインキュベートされた試験バイアル内の流体の視覚的な黒化が、ＳＲＢの閾値数の存在を示す、方法。  
【請求項２】
前記ＦＣＴＨを追加する前に、前記試験バイアル群内の前記増殖培地に鉄源を添加することをさらに含む、請求項１に記載の方法。
【請求項３】
前記ＦＣＴＨが、９ミリリットルの増殖培地当たり０．０１グラムの用量で添加される、請求項１に記載の方法。
【請求項４】
前記ＦＣＴＨが、８ミリリットルの増殖培地および１ｍｌの試験された試料に、０．５〜１ミリリットルの溶液として添加される、請求項３に記載の方法。
【請求項５】
ＦＣＴＨの添加を補正するために、増殖培地のｐＨを約７．６のｐＨに調節することをさらに含む、請求項１に記載の方法。
【請求項６】
順次希釈のステップが、混合試験試料を既に含むバイアルから１ミリリットルを抜き取り、抜き取った１ミリリットルを次の連続バイアルに注入することにより実行される、請求項１に記載の方法。
【請求項７】
前記試験バイアルの群が、５〜７日間インキュベートされる、請求項１に記載の方法。
【請求項８】
前記試験バイアルの群が、摂氏３７度でインキュベートされる、請求項７に記載の方法。
【請求項９】
試験試料中の硫酸塩還元菌（ＳＲＢ）の濃度を決定するための試験キットであって、
ＳＲＢを増殖させるための培地を含む試験バイアルの群と、
前記試験バイアルに添加するための塩化第一鉄四水和物（ＦＣＴＨ）を含む鉄添加剤と、を備え、
決定中に、試験試料が前記試験バイアルの群の第１の試験バイアルに添加され、前記試験試料が前記群の残りのバイアルで順次希釈され、
希釈試料および鉄添加剤を有する前記試験バイアルのインキュベーション後、前記群内の前記試験バイアルのいずれかの流体の視覚的な黒化が、閾値レベルを超えるＳＲＢ濃度を示す試験キット。
【請求項１０】
前記バイアルが、８ミリリットルの増殖培地および０．５〜１ミリリットルのＦＣＴＨで満たされている、請求項９に記載の試験キット。
【請求項１１】
前記第１の試験バイアルに１ミリリットルの試験試料が注入される、請求項９に記載の試験キット。
【請求項１２】
前記増殖培地のｐＨが、鉄添加剤を補正するように調節される、請求項９に記載の試験キット。
【請求項１３】
硫酸塩還元菌（ＳＲＢ）の濃度を決定する方法であって、
試験バイアルでＳＲＢを増殖させるための培地を調製することと、
前記試験バイアルに塩化第一鉄四水和物（ＦＣＴＨ）を添加することと、
試験された試料を前記試験バイアルに添加することと、
前記試験バイアルをインキュベートすることと、を含み、
インキュベートされた試験バイアル内の流体の視覚的な黒化が、ＳＲＢの閾値数の存在を示す方法。  
【請求項１４】
前記増殖培地が試験バイアルの群で調製され、前記塩化第一鉄四水和物（ＦＣＴＨ）が前記試験バイアルのそれぞれに添加され、前記試験された試料が前記試験バイアルの群の第１の試験バイアルに添加され、前記方法が、
前記群内の後続のバイアルに以前のバイアルからの流体を順次注入することにより、前記試験された試料を順次に希釈するステップと、
前記試験バイアルの群をインキュベートするステップと、を含み、
希釈試料および鉄添加剤を有する前記試験バイアルのインキュベーション後、前記群内の前記試験バイアルのいずれかの流体の視覚的な黒化が、閾値レベルを超えるＳＲＢ濃度を示す、請求項１３に記載の方法。
【請求項１５】
異なる希釈度を有する前記試験バイアルの結果として、硫化鉄の存在を示す視覚的黒化が試料中で視覚的に検出される希釈度に従って、各試験バイアルに存在するＳＲＢの数が推定され得る、請求項１４に記載の方法。
【請求項１６】
最確数（ＭＰＮ）法を使用してＳＲＢ濃度を推定するステップをさらに含む、請求項１３に記載の方法。
【請求項１７】
前記ＦＣＴＨが、１００ｍｌの蒸留水中に１ｇのＦｅＣｌ２．４Ｈ２Ｏを添加することにより作製される鉄原液を含み、０．５ｍｌの前記鉄原液が、８ミリリットルの前記増殖培地および１ｍｌの試験された試料に添加される、請求項１３に記載の方法。
【請求項１８】
前記増殖培地が、以下の成分： 
【表１】
2020522255.tif 000001
を含む水溶液を含む、請求項１３に記載の方法。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
合成の肝臓特異的プロモーターを含む、ポリヌクレオチドであって、前記プロモーターが配列番号１のヌクレオチド配列またはそれと少なくとも約９０％同一の配列を含む、ポリヌクレオチド。
【請求項２】
前記プロモーターは目的のポリヌクレオチドに作動可能に連結されている、請求項１に記載のポリヌクレオチド。
【請求項３】
前記目的のポリヌクレオチドはポリペプチドまたは機能性核酸をコードする、請求項２に記載のポリヌクレオチド。
【請求項４】
前記目的のポリヌクレオチドは凝固因子をコードする、請求項３に記載のポリヌクレオチド。
【請求項５】
前記目的のポリヌクレオチドは第ＩＸ因子をコードする、請求項４に記載のポリヌクレオチド。
【請求項６】
前記ポリヌクレオチド配列はヒトにおける発現のためにコドンが最適化されている、請求項５に記載のポリヌクレオチド。
【請求項７】
第ＩＸ因子をコードする目的のポリヌクレオチドが、Ｒ３３８Ｌ変異（ヒト第ＩＸ因子に関する番号付け）をもたらすミスセンス変異を含む、請求項５〜６のいずれか１項に記載のポリヌクレオチド。
【請求項８】
前記プロモーターと前記目的のポリヌクレオチドとの間に合成の５’非翻訳領域をさらに含む、請求項２〜７のいずれか１項に記載のポリヌクレオチド。
【請求項９】
前記合成の５’非翻訳領域は、配列番号３のヌクレオチド配列またはそれと少なくとも約９０％同一の配列を含む、請求項８に記載のポリヌクレオチド。
【請求項１０】
前記合成の５’非翻訳領域は合成のイントロンを含む、請求項８または９に記載のポリヌクレオチド。
【請求項１１】
前記合成のイントロンは配列番号１３のヌクレオチド配列またはそれと少なくとも約９０％同一の配列を含む、請求項１０に記載のポリヌクレオチド。
【請求項１２】
前記合成の５’非翻訳領域および合成のイントロンは、配列番号４のヌクレオチド配列またはそれと少なくとも約９０％同一の配列を含む、請求項１１に記載のポリヌクレオチド。
【請求項１３】
前記プロモーター、合成の５’非翻訳領域および合成のイントロンは、配列番号２のヌクレオチド配列またはそれと少なくとも約９０％同一の配列を含む、請求項１１または１２に記載のポリヌクレオチド。
【請求項１４】
前記目的のポリヌクレオチドは合成のイントロンを含む、請求項２〜１３のいずれか１項に記載のポリヌクレオチド。
【請求項１５】
前記合成のイントロンは、配列番号５のヌクレオチド配列またはそれと少なくとも約９０％同一の配列を含む、請求項１４に記載のポリヌクレオチド。
【請求項１６】
コドンが最適化された第ＩＸ因子コード配列および合成のイントロンは、配列番号６〜８のうちのいずれか１つのヌクレオチド配列またはそれと少なくとも約９０％同一の配列を含む、請求項１４または１５に記載のポリヌクレオチド。
【請求項１７】
ポリアデニル化部位に作動可能に連結されている、請求項１〜１６のいずれか１項に記載のポリヌクレオチド。
【請求項１８】
前記ポリアデニル化部位は双方向ポリアデニル化部位である、請求項１７に記載のポリヌクレオチド。
【請求項１９】
前記ポリアデニル化部位は、配列番号９のヌクレオチド配列またはそれと少なくとも約９０％同一の配列を含む、請求項１８に記載のポリヌクレオチド。
【請求項２０】
配列番号１０〜１２のうちのいずれか１つのヌクレオチド配列またはそれと少なくとも約９０％同一の配列を含む、請求項１〜１９のいずれか１項に記載のポリヌクレオチド。
【請求項２１】
請求項１〜２０のいずれか１項に記載のポリヌクレオチドを含む、ベクター。
【請求項２２】
前記ベクターはウイルスベクターである、請求項２１に記載のベクター。
【請求項２３】
前記ベクターはアデノ随伴ウイルス（ＡＡＶ）ベクターである、請求項２２に記載のベクター。
【請求項２４】
請求項１〜２０のいずれか１項に記載のポリヌクレオチドおよび／または請求項２１〜２３のいずれか１項に記載のベクターを含む、形質転換細胞。
【請求項２５】
対象の肝臓においてポリペプチドまたは機能性核酸を産生させる方法において使用するための組成物であって、請求項２〜２０のいずれか１項に記載のポリヌクレオチド、請求項２１〜２３のいずれか１項に記載のベクターおよび／または請求項２４の形質転換細胞を含む、組成物。
【請求項２６】
対象における血友病Ｂまたは後天性第ＩＸ因子欠損症を治療する方法において使用するための組成物であって、請求項５〜２０のいずれか１項に記載のポリヌクレオチド、請求項２１〜２３のいずれか１項に記載のベクターおよび／または請求項２４の形質転換細胞を含む、組成物。
【請求項２７】
対象における第ＩＸ因子ポリペプチドの生物学的利用能を高める方法において使用するための組成物であって、請求項５〜２０のいずれか１項に記載のポリヌクレオチド、請求項２１〜２３のいずれか１項に記載のベクターおよび／または請求項２４の形質転換細胞を含む、組成物。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
中心軸線を有する弾性マウントと；
中心軸線を有するブラフボディであって、前記ブラフボディは前記弾性マウントに固定して取り付けられ、前記弾性マウントの中心軸線と前記ブラフボディの中心軸線とは一列に並んでおり、前記ブラフボディは渦放出を生成するように構成され、前記弾性マウントは、流体流に対して横断するフローライン内で前記ブラフボディを方向付け、前記渦放出に応答して直線的に振動する、ブラフボディと；
前記ブラフボディの中心軸線と一列に並んで前記ブラフボディ内に配置され、前記振動に応答して特定の閾値を超える電力を生成するように構成されたハーベスタと；を備える、
弾性ブラフボディ。
【請求項２】
前記ハーベスタは、前記弾性ブラフボディの共振周波数で振動する、
請求項１に記載の弾性ブラフボディ。
【請求項３】
前記フローラインは、坑井を備える、
請求項１に記載の弾性ブラフボディ。
【請求項４】
前記ブラフボディは、シリンダを備える、
請求項１に記載の弾性ブラフボディ。
【請求項５】
前記ハーベスタは、圧電ハーベスタ又は磁歪ハーベスタを備える、
請求項１に記載の弾性ブラフボディ。
【請求項６】
前記ハーベスタは、前記渦放出に応答して直線的に振動するように構成された片持ち梁を備える、
請求項１に記載の弾性ブラフボディ。
【請求項７】
前記ブラフボディは、実質的に円錐形状を有し、前記弾性マウントに旋回可能に接続され、かつ、渦放出に応答して振動するように構成されている、
請求項１に記載の弾性ブラフボディ。
【請求項８】
前記ブラフボディは永久磁石を備え、前記ハーベスタは鉄棒及び前記鉄棒の周りの金属コイルを備える、
請求項７に記載の弾性ブラフボディ。
【請求項９】
前記ハーベスタは、周囲を囲む金属コイルを有するシリンダを備える、
請求項１に記載の弾性ブラフボディ。
【請求項１０】
前記弾性ブラフボディは円錐形であって前記弾性マウントに接続されており、前記ハーベスタは前記渦放出に応答して振動するように構成されている、
請求項９に記載の弾性ブラフボディ。
【請求項１１】
前記弾性マウントは第１の弾性マウントであり、前記ブラフボディは第１のブラフボディであり、前記ハーベスタは第１のハーベスタであって；さらに、
前記第１の弾性マウントから分離し、第２のブラフボディに平行な第２の弾性マウントと；
前記第２の弾性マウントに対して一列に並んで固定して取り付けられて、かつ、渦放出を生成するように構成された前記第２のブラフボディであって、前記第２の弾性マウントは、流体流に対して横断する前記フローライン内で前記第２のブラフボディを方向付け、前記渦放出に応答して直線的に振動する、前記第２のブラフボディと；
前記第２のブラフボディに対して平行にかつ内部に配置され、前記振動に応答して特定の閾値を超える電力を生成するように構成された第２のハーベスタと；を備える、
請求項１に記載の弾性ブラフボディ。
【請求項１２】
前記第２のブラフボディは前記第１のブラフボディと実質的に同一の固有振動数を有し、前記第２のハーベスタは前記第１のハーベスタと実質的に同一の固有振動数を有する、
請求項１１に記載の弾性ブラフボディ。
【請求項１３】
ブラフボディ及び弾性マウントに直角な流体の流れに応答して、前記弾性マウントに対して平行にかつ固定して取り付けられた前記ブラフボディ及び前記ブラフボディに対して平行でかつ内部のハーベスタによって直線的な振動渦を誘起するステップと；
前記直線的な振動渦を誘起するステップに応答して電力を生成するステップと；を備える、
方法。
【請求項１４】
前記電力を生成するステップは、前記振動渦を誘起するステップに応答して、前記ブラフボディ内で、磁歪ハーベスタ又は圧電ハーベスタを備える片持ち梁を直線的に振動させるステップを備える、
請求項１３に記載の方法。
【請求項１５】
前記ブラフボディは、実質的に円錐形状を有し、弾性マウントに旋回可能に接続され、かつ、渦放出に応答して振動するように構成されている、
請求項１３に記載の方法。
【請求項１６】
バッテリ又はキャパシタ内に電力を蓄積するステップと；
前記蓄積された電力によってデバイスに電力供給するステップと；を備える、
請求項１３に記載の方法。
【請求項１７】
前記デバイスは、センサ又は通信デバイスを備える、
請求項１６に記載の方法。
【請求項１８】
流体を収容するように構成されたフローラインと；
中心軸線を有し、前記フローラインの内面に直接取り付けられた弾性マウントと；
中心軸線を有する円筒形のブラフボディであって、前記ブラフボディは前記弾性マウントに固定して取り付けられ、前記弾性マウントの中心軸線と前記ブラフボディの中心軸線とは一列に並んでおり、前記ブラフボディは渦放出を生成するように構成され、前記弾性マウントは、流体流に対して横切るフローライン内で前記ブラフボディを方向付け、前記渦放出に応答して直線的に振動する、ブラフボディと；
前記ブラフボディの内部に配置されかつ前記ブラフボディの中心軸線と一列に並んだハーベスタであって、前記振動に応答して特定の閾値を超える電力を生成するように構成された片持ち梁を備え、前記片持ち梁は圧電材料又は磁歪材料を有する、ハーベスタと；
前記片持ち梁に結合された電力整流及び調整回路と；
前記電力整流及び調整回路に結合された蓄電デバイスと；
前記蓄電デバイスに結合された電気使用デバイスと；を備える、
システム。
【請求項１９】
円筒形の前記ブラフボディは円筒形の第１のブラフボディであり、前記ハーベスタは第１のハーベスタであり、前記片持ち梁は第１の片持ち梁であって；さらに、
前記フローライン内に横断する向きに配置されるように構成された円筒形の第２のブラフボディであって、円筒形の前記第２のブラフボディに直角に流れる流体に応答して、前記フローライン内に振動渦を生成するように構成され、同期渦放出モードに適した距離で、前記第１のブラフボディの下流かつ平行に配置されて構成された第２のブラフボディと；
円筒形の前記第２のブラフボディに対して平行にかつ内部に配置された第２のハーベスタであって、前記第２のハーベスタは、円筒形の前記第２のブラフボディに平行な第２の片持ち梁を備えると共に、振動に応答して特定の閾値を超える電力を生成するように構成され、前記第２の片持ち梁は圧電材料又は磁歪材料を有する、第２のハーベスタと；を備える、
請求項１８に記載のシステム。
【請求項２０】
前記電力整流及び調整回路は、前記第２の片持ち梁に結合されている、
請求項１９に記載のシステム。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
透明のフロントカバーシート（１３）とリヤーカバーシート（１５）との間に介在する複数の太陽電池（９）を含むソーラーラミネート（３）と、
前記ソーラーラミネート（３）の外側縁部において前記ソーラーラミネート（３）を囲むフレーム（５）と、
前記フレーム（５）の対向部分の間で前記ソーラーラミネート（３）の裏面に配置された少なくとも１つの補強支柱（７）とを備え、
前記フレーム（５）は、フレーム面とフレーム厚さとを有し、前記フレーム面は、前記フレーム（５）の幅が乗じられた前記フレーム（５）の長さによって規定され、
前記フレーム面と前記フレーム厚さとの比は、４５０００〜７００００、好ましくは５００００〜６５０００、より好ましくは５３０００〜５７０００であり、前記フレームの寸法はミリメートル単位で計測される、ソーラーモジュール（１）。
【請求項２】
前記フレーム（５）の厚さは３５ｍｍより小さい、好ましくは３３ｍｍより小さい、より好ましくは３１ｍｍより小さい、請求項１に記載のソーラーモジュール。
【請求項３】
前記フレーム（５）は、１６６５±ｘｍｍの長さ、９９１±ｙｍｍの幅、および３０±ｚｍｍの厚さを有し、ｘ、ｙ、ｚは、ｘ＜５ｍｍ、ｙ＜５ｍｍ、およびｚ＜２ｍｍ、好ましくはｘ＜３ｍｍ、ｙ＜３ｍｍ、およびｚ＜１ｍｍの公差である、請求項１および２のいずれか１項に記載のソーラーモジュール。
【請求項４】
前記フロントカバーシート（１３）は、２．７ｍｍ〜３．１ｍｍの厚さ、好ましくは３．０５ｍｍの厚さを有するガラスシート（１４）を含む、請求項１〜３のいずれか１項に記載のソーラーモジュール。
【請求項５】
前記補強支柱（７）は、前記フレーム（５）に電気的に接続されている、請求項１〜４のいずれか１項に記載のソーラーモジュール。
【請求項６】
前記補強支柱（７）を前記ラミネート（３）に向かう方向に押すように前記フレーム（５）と協働するスペーサ要素（４３）をさらに備える、請求項１〜５のいずれか１項に記載のソーラーモジュール。
【請求項７】
前記フレームは、長尺の中空プロファイル（１９）を含み、前記中空プロファイルは、
前記中空プロファイル（１９）の上側部分から延在して、第１のフランジ（２１）と前記中空プロファイル（１９）との間で前記ラミネート（３）を締付けるための締付け部（２７）を形成する前記第１のフランジ（２１）と、
前記フレーム（５）の中央に向かう方向に前記中空プロファイル（１９）の下側部分から延在する第２のフランジ（２９）とを有する、請求項１〜６のいずれか１項に記載のソーラーモジュール。
【請求項８】
前記補強支柱（７）の端部は、前記ラミネート（３）と前記フレーム（５）の前記第２のフランジ（２９）との間に介在している、請求項７に記載のソーラーモジュール。
【請求項９】
スペーサ要素（４３）が、前記補強支柱（７）の端部と前記フレーム（５）の前記第２のフランジ（２９）との間に介在している、請求項８に記載のソーラーモジュール。
【請求項１０】
前記スペーサ要素（４３）は、導電性材料で形成されている、請求項６および９のいずれか１項に記載のソーラーモジュール。
【請求項１１】
前記スペーサ要素（４３）は、前記フレーム（５）内に押付けられた少なくとも１つの稜線（４５）を含む、請求項１０に記載のソーラーモジュール。
【請求項１２】
前記スペーサ要素（４３）は、前記フレーム（５）にねじ留めされている、請求項６および９〜１１のいずれか１項に記載のソーラーモジュール。
【請求項１３】
前記補強支柱（７）は、前記ラミネート（３）の裏面に貼付けられている、請求項１〜１２のいずれか１項に記載のソーラーモジュール。
【請求項１４】
前記少なくとも１つの補強支柱（７）は、前記フレーム（５）の短い縁部に平行に配置されている、請求項１〜１３のいずれか１項に記載のソーラーモジュール。
【請求項１５】
互いに平行に配置された少なくとも２つの補強支柱（７）を備える、請求項１〜１４のいずれか１項に記載のソーラーモジュール。
【請求項１６】
前記補強支柱（７）は矩形の断面を有する、前述の請求項のいずれか１項に記載のソーラーモジュール。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
配列番号２のヒトアミロ−アルファ−１，６−グルコシダーゼ、４−アルファ−グルカノトランスフェラーゼ（ｈＡＧＬ）をコードする核酸塩基配列を含むポリヌクレオチドであって、ｈＡＧＬをコードする核酸塩基配列が、配列番号７〜２１、及び配列番号４１〜４５から選択される配列と少なくとも９９％同一である、前記ポリヌクレオチド。
【請求項２】
ｈＡＧＬをコードする核酸塩基配列が、配列番号４１と少なくとも９９％同一である、請求項１に記載のポリヌクレオチド。
【請求項３】
少なくとも１つのウリジン残基が、Ｎ１―メチルプソイドウリジンで置換される、請求項１又は２に記載のポリヌクレオチド。
【請求項４】
全てのウリジン残基が、Ｎ１―メチルプソイドウリジンで置換される、請求項１又は２に記載のポリヌクレオチド。
【請求項５】
５’キャップを含む、請求項１〜４のいずれかに記載のポリヌクレオチド。
【請求項６】
５’非翻訳領域（５’ＵＴＲ）を含む、請求項１〜５のいずれかに記載のポリヌクレオチド。
【請求項７】
５’ＵＴＲが、タバコエッチウイルス（ＴＥＶ）に由来する、請求項６に記載のポリヌクレオチド。
【請求項８】
５’ＵＴＲが、配列番号３を含む、請求項６又は７に記載のポリヌクレオチド。
【請求項９】
３’非翻訳領域（３’ＵＴＲ）を含む、請求項１〜８のいずれかに記載のポリヌクレオチド。
【請求項１０】
３’ＵＴＲが、アフリカツメガエルベータグロビンに由来する、請求項９に記載のポリヌクレオチド。
【請求項１１】
３’ＵＴＲが、配列番号５を含む、請求項９又は１０に記載のポリヌクレオチド。
【請求項１２】
３’ポリＡテールを含む、請求項１〜１１のいずれかに記載のポリヌクレオチド。
【請求項１３】
３’ポリＡテールが、６０〜２２０個のアデノシンヌクレオチド長である、請求項１２に記載のポリヌクレオチド。
【請求項１４】
３’ポリＡテールが、約１００個のヌクレオチド長である、請求項１３に記載のポリヌクレオチド。
【請求項１５】
請求項１〜１４のいずれかに記載の１又は２以上のポリヌクレオチドと、薬学的に許容される担体とを含む組成物。
【請求項１６】
担体が、トランスフェクション試薬、ナノ粒子、及びリポソームから選択される、請求項１５に記載の組成物。
【請求項１７】
担体が、ナノ粒子である、請求項１６に記載の組成物。
【請求項１８】
ナノ粒子が、ＡＴＸ−００２、ＡＴＸ−０８１、ＡＴＸ−０９５及びＡＴＸ−１２６から選択される、請求項１７に記載の組成物。
【請求項１９】
請求項１５〜１８のいずれかに記載の組成物を含む、ｈＡＧＬの活性低下に関連する疾患若しくは障害の改善剤、予防剤、発症遅延剤、又は治療剤。
【請求項２０】
疾患が糖原病III型である、請求項１９に記載の剤。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
ホルムアルデヒドで架橋された生体試料の１つ以上の成分を解析する方法であって、以下の工程：
十分な量の触媒と試料を接触させて、架橋した成分の少なくとも一部分を開放することによって、前記１つ以上の成分の解析における利用可能性を改善する工程；
を含み、当該触媒が、アミノフェニルボロン酸、環状ボロン酸エステル、ホスホン酸エステル、及びビスマス塩からなる群から選択され、当該触媒の量が０．２ｍＭ〜５．０ｍＭである、方法。
【請求項２】
前記生体試料が動物の組織試料である、請求項１に記載の方法。
【請求項３】
前記試料及び触媒が１０分間以上の間２５℃〜６０℃の温度で加熱される、請求項１又は２のいずれかに記載の方法。
【請求項４】
前記成分を検出する工程を更に含む、請求項１〜３のいずれか１項に記載の方法。
【請求項５】
前記触媒が、前記検出工程の前に試料から実質的に除去される、請求項４に記載の方法。
【請求項６】
前記検出工程が成分の定量を含む、請求項４に記載の方法。
【請求項７】
前記試料及び触媒がｐＨ４．５〜８．０の範囲で接触させられる、請求項１〜６のいずれか１項に記載の方法。
【請求項８】
前記成分が核酸であり、前記方法が前記核酸を検出する工程を更に含む、請求項１〜７のいずれか１項に記載の方法。
【請求項９】
前記検出工程が、ポリメラーゼ連鎖反応による核酸の増幅を含む、請求項８に記載の方法。
【請求項１０】
前記試料が前記接触工程の前にパラフィン中に包埋されている、請求項１〜９のいずれか１項に記載の方法。
【請求項１１】
前記触媒が、（２−アミノ−５−フルオロフェニル）ボロン酸、２−アミノフェニルボロン酸、（２−アミノ−５−メチルフェニル）ボロン酸、１，３−ジヒドロ−１−ヒドロキシ−２，１−ベンゾキシアボロル−７−アミン、３，４−ジヒドロ−１−ヒドロキシ−１Ｈ−２，１−ベンゾキシアボリン−７−アミン、（アミノフェニルメチル）ホスホン酸ジエチルエステル、臭化ビスマス（ＩＩＩ）、ヨウ化ビスマス（ＩＩＩ）、クエン酸ビスマス（ＩＩＩ）、及びサリチル酸ビスマス（ＩＩＩ）からなる群から選択される、請求項１〜１０のいずれか１項に記載の方法。
【請求項１２】
前記試料をプロテアーゼと接触させて、試料中のタンパク質を分解することにより、核酸がより解析に利用できるようにする工程を更に含む、請求項１〜１１のいずれか１項に記載の方法。
【請求項１３】
ホルムアルデヒドで架橋された生体試料の１つ以上の成分の利用可能性を改善するためのキットであって、以下：
触媒；及び
プロテアーゼ又は当該触媒を生体試料から除去するための試薬若しくは装置；
を備え、当該触媒が、アミノフェニルボロン酸、環状ボロン酸エステル、ホスホン酸エステル、及びビスマス塩からなる群から選択され、当該触媒の量が０．２ｍＭ〜５．０ｍＭである、キット。
【請求項１４】
前記キットが、前記触媒を生体試料から除去するための試薬又は装置を備える、請求項１３に記載のキット。
【請求項１５】
前記キットが、プロテアーゼ、ヌクレオチド及び／又は熱安定性ポリメラーゼを備える、請求項１３に記載のキット。
【請求項１６】
前記触媒が、（２−アミノ−５−フルオロフェニル）ボロン酸、２−アミノフェニルボロン酸、（２−アミノ−５−メチルフェニル）ボロン酸、１，３−ジヒドロ−１−ヒドロキシ−２，１−ベンゾキシアボロル−７−アミン、３，４−ジヒドロ−１−ヒドロキシ−１Ｈ−２，１−ベンゾキシアボリン−７−アミン、（アミノフェニルメチル）ホスホン酸ジエチルエステル、臭化ビスマス（ＩＩＩ）、ヨウ化ビスマス（ＩＩＩ）、クエン酸ビスマス（ＩＩＩ）、及びサリチル酸ビスマス（ＩＩＩ）からなる群から選択される、請求項１３〜１５のいずれか１項に記載のキット。
【請求項１７】
反応混合物であって、以下；
ホルムアルデヒドで架橋された生体試料；及び
架橋された成分の少なくとも一部を開放するのに十分な量の触媒；
を備え、当該触媒が、アミノフェニルボロン酸、環状ボロン酸エステル、ホスホン酸エステル、及びビスマス塩からなる群から選択され、当該触媒の量が０．２ｍＭ〜５．０ｍＭである、反応混合物。